(57)【要約】【課題】  被写体像の明るさに関らず、ファインダを通して測距関連マークを容易に確認する。【解決手段】  多分割オートフォーカス機能に従い、ファインダ光学系２０を通して観察される被写体像に対して１１の測距点を設定し、ファインダ光学系２０に、発光ダイオード２５Ｌ１〜２５Ｌ１１から構成される光源２５と、１１のマイクロプリズムが形成されたスクリーン板３２とを設ける。所定の測距点に対応する発光ダイオードから光を放射させ、対応するマイクロプリズムによる反射によって合焦マークを測距点の位置に表示する。このとき、測距点の輝度を検出し、測距点の輝度に従い、輝度が大きいほど測距マークの輝度がおおきくなるように、ダイオードの発光強度を設定する。【選択図】        図２
2006010815.tif 000002
【特許請求の範囲】
【請求項１】
撮影光学系を通る光から観察用のファインダ被写体像を形成するファインダ光学系と、
前記ファインダ被写体像に対して複数の測距点を設定し、各測距点に対して焦点調整可能な多点自動焦点調整手段と、
前記被写体像の各測距点に合わせて、測距関連マークの像を前記ファインダ被写体像に重ねて表示するスーパーインポーズ表示手段と、
前記測距関連マークの表示場所に応じた前記被写体像の輝度を検出する測距点輝度検出手段とを備え、
前記スーパーインポーズ表示手段が、前記測距関連マークの表示場所に応じた輝度に従い、輝度が大きいほど前記測距関連マークの輝度が大きくなるように表示することを特徴とするカメラ。
【請求項２】
前記ファインダ被写体像を複数のエリアに分割して測光する多分割測光手段をさらに有し、
前記測距点輝度検出手段が、前記測距関連マークの表示場所に応じた分割エリアの輝度に基づいて測距点の輝度を検出することを特徴とする請求項１に記載のカメラ。
【請求項３】
前記多点自動焦点調整手段が、焦点調整用撮像素子の受光位置に基づいてデフォーカス量を検出する位相差方式に従って焦点調整し、
前記測距点輝度検出手段が、前記焦点調整用撮像素子における受光量に基づいて、前記測距関連マークの表示場所に応じた前記被写体像の輝度を検出することを特徴とする請求項１に記載のカメラ。
【請求項４】
前記スーパーインポーズ表示手段が、
各測距点に合わせて投光する投光手段と、
前記投光手段からの光を反射して前記測距関連マークの像を表示する導光手段とを有し、
前記測距関連マークの表示場所に応じた前記被写体像の輝度に応じて、発光強度を調整することを特徴とする請求項１に記載のカメラ。
【請求項５】
前記スーパーインポーズ表示手段が、
各測距点に合わせて投光する投光手段と、
前記投光手段からの光を反射して前記測距関連マークの像を表示する導光手段とを有し、
前記測距関連マークの表示場所に応じた前記被写体像の輝度に応じて、発光時間を調整することを特徴とする請求項１に記載のカメラ。
【請求項６】
前記スーパーインポーズ表示手段が、ユーザにより選択された測距点に選択測距点を表すマークとして前記測距関連マークを表示することを特徴とする請求項１に記載のカメラ。
【請求項７】
前記スーパーインポーズ表示手段が、合焦している１つ測距点を選択し、その選択した測距点に合わせて合焦を表すマークとして前記測距関連マークを表示することを特徴とする請求項１に記載のカメラ。
【発明の詳細な説明】
【技術分野】
【０００１】
本発明は、ファインダを備えた一眼レフ型カメラなどにおいて、接眼レンズを通して観察される被写体像に測距ポイントマークなど測距情報をスーパーインポーズ表示可能なカメラに関する。
【背景技術】
【０００２】
多分割オートフォーカス（多点測距）機能を備えた一眼レフ型カメラでは、ファインダを通して観察される被写体像に対して複数の測距点が設定され、各測距点に対して焦点調整することが可能である。オートフォーカスモードの場合、ＡＦ駆動によって１つの測距ポイント（例えば中心）が合焦すると、その位置に合焦を示すマークがスーパーインポーズ表示される（例えば、特許文献１参照）。ファインダ光学系内にはＬＥＤなどの光源を備えた投光装置が設けられており、各ポイントに合わせて複数のマイクロプリズムが形成されたスクリーン板が、ピント板に重なるように配置されている。合焦ポイントに従い、照明光がスクリーン板に投光すると、マイクロプリズムにおいて照明光が反射し、接眼レンズ方向へ導かれる。その結果、ピント板に結像された被写体像に重なるように、照明光が測距点として観察される。
【特許文献１】特開２００２−２６８１２８号公報（図６）
【発明の開示】
【発明が解決しようとする課題】
【０００３】
被写体の明るさが大きい場合、被写体像に重なった表示光は観察しづらくなる。そのため、測距点を迅速に確認できず、撮影、記録するまでに時間がかかり、シャッターチャンスを逃す恐れがある。また、被写体が極端に暗い場合、測距点の表示光の明るさを十分認識するのが難しい。
【課題を解決するための手段】
【０００４】
本発明のカメラは、撮影光学系を通る光から観察用のファインダ被写体像を形成するファインダ光学系と、ファインダ被写体像に対して複数の測距点を設定し、各測距点に対して焦点調整可能な多点自動焦点調整手段と、被写体像の各測距点に合わせて、測距関連マークの像をファインダ被写体像に重ねて表示するスーパーインポーズ表示手段と、測距関連マークの表示場所に応じた被写体像の輝度を検出する測距点輝度検出手段とを備える。例えばスーパーインポーズ表示手段は、ユーザにより選択された測距点に選択測距点を表すマークとして測距関連マークを表示する。あるいは、合焦している１つ測距点を選択し、その選択した測距点に合わせて合焦を表すマークとして測距関連マークを表示する。そしてスーパーインポーズ表示手段は、測距関連マークの表示場所に応じた輝度に従い、輝度が大きいほど測距関連マークの輝度が大きくなるように表示する。
【０００５】
ファインダ被写体像を複数のエリアに分割して測光する多分割測光手段を適用する場合、測距点輝度検出手段は、測距関連マークの表示場所に応じた分割エリアの輝度に基づいて測距点の輝度を検出すればよい。あるいは、多点自動焦点調整手段が、焦点調整用撮像素子の受光位置に基づいてデフォーカス量を検出する位相差方式に従って焦点調整する場合、測距点輝度検出手段が、焦点調整用撮像素子における受光量に基づいて、測距関連マークの表示場所に応じた被写体像の輝度を検出すればよい。
【０００６】
例えば、スーパーインポーズ表示手段は、各測距点に合わせて投光する投光手段と、投光手段からの光を反射して測距関連マークの像を表示する導光手段とを有し、測距関連マークの表示場所に応じた被写体像の輝度に応じて、発光強度を調整する。あるいは、測距関連マークの表示場所に応じた被写体像の輝度に応じて、発光時間を調整すればよい。
【発明の効果】
【０００７】
以上のように本発明によれば、被写体像の明るさに関らず、ファインダを通して測距関連マークを容易に確認することができる。
【発明を実施するための最良の形態】
【０００８】
以下、図面を参照して本発明の実施形態について説明する。
【０００９】
図１は、第１の実施形態であるデジタルカメラのブロック図である。
【００１０】
ユーザによる電源ＯＮ操作によってメインスイッチＳ１がＯＮ状態になると、電源回路６２からＣＰＵ１５、ＲＯＭ１６、ＲＡＭ１８等を備えたシステムコントロール回路１７および各回路へ電源が供給される。システムコントロール回路１７はカメラ１０を全体制御し、ファインダ内照明ＬＥＤ５２、ファインダ内ＬＣＤ５４、外部ＬＣＤ５６、分割測光制御部５８、ＡＦ制御部６０、電源回路６２、パルスジェネレータ６４、ストロボ回路６６等へ制御信号を送る。
【００１１】
レリーズボタン（図示せず）が半押しされて測光スイッチＳ２がＯＮ状態になると、分割測光制御部５８によって被写体の明るさが計測され、露出値が演算される。また、ファインダ内照明ＬＥＤ５２、ファインダ内ＬＣＤ５４の動作によって露出値がファインダ（ここでは図示せず）において被写体像とともに視認される。ここでは、被写体像が１５のエリアに分割され、分割測光される。
【００１２】
ＡＦ制御部６０は、ＡＦ用ＣＣＤセンサ６１の受光に基づいて合焦しているか否かを検出し、ＡＦモータ５３を制御して撮影光学系５１をシフトさせる。また、多分割オートフォーカス機能により自動焦点調整が行われ、分割エリアの位置に合わせて複数の測距点が定められている。エリアに合わせて設定された測距ポイントが合焦すると、測距マークがスーパーインポーズ表示可能であり、自動的に測距点を設定する測距点自動選択モードと、ユーザが十字ボタン（図示せず）の操作によって測距点を選択可能な測距点マニュアル選択モードのいずれかが設定される。
【００１３】
レリーズボタンが全押しされるとレリーズスイッチＳ３がＯＮ状態となり、一連の記録動作が実行される。シャッタ５５の開閉動作に伴い、撮影光学系５１を通過する光によって被写体像がＣＣＤ５７に結像される。そして、ＣＣＤ駆動回路５９からの駆動信号によって被写体像に応じた画像信号がＣＣＤから読み出され、信号処理回路（図示せず）において様々な信号処理が施される。処理された画像信号は圧縮され、メモリカード６８へ記録される。モードダイヤル（図示せず）の操作によって再生モードが設定された場合、その他のスイッチＳ４に含まれる所定のスイッチがＯＮ状態になり、記録画像が外部ＬＣＤ５６に表示される。
【００１４】
光源２５は、１１個の測距点をファインダ内においてスーパーインポーズ表示するための照明光源であり、１１個の発光ダイオード２５Ｌ１〜２５Ｌ１１により構成されている。ＡＦ動作により合焦する測距点が検出されると、対応するダイオードへ電源回路６２からの電圧により、ダイオードが発光する。
【００１５】
図２、図３は、カメラ１０のミラーボックスとファインダ光学系の断面図であり、図２は投光プリズムを取り外した状態を示し、図３は接眼光学系を取り外した状態を示す。
【００１６】
ミラーボックス１1内には、ここでは図示しない撮影光学系５１の後方にクイックリターンミラー１３が設けられており、ピン１４周りに回転自在に支持される。そしてミラーボックス１１の上方には、一眼レフ用のファインダ光学系２０が設けられており、ファインダ光学系２０は、ペンタゴナルダハプリズムであるループペンタ２１、ピント板３１、フィールドレンズ（図示せず）、スーパーインポーズ表示用のスクリーン板３２、接眼レンズ２３とを備える。スクリーン板３２は、ピント板３１の上方に所定間隔だけ離れて所定角度傾斜しながら配置されており、ピント板３１、スクリーン板３２はピント枠３３によって支持されている。ルーフペンタ２１の略三角形状である射出口２２には、測光機構２４が配置されている。
【００１７】
撮影光学系５１を通り、クイックリターンミラー１３において反射した光Ｂ１は、ピント板３１、スクリーン板３２を通過し、ルーフペンタ２１を構成する一対のダハ反射面４１と、正反射面４２によって反射される。正反射面４２に反射した光Ｂ２は、ルーフペンタ２１の射出口２２を通って接眼レンズ２３に入射する。これにより、ピント板３１に結像された被写体像が接眼レンズ２３を通して視認される。また、測光機構２４へ被写体像の光が入射することにより、被写体の明るさが検出される。
【００１８】
ルーフペンタ２１の射出口２２後方には、光源２５と投光プリズム２６が設けられており（図３参照）、測光機構２４の光路に干渉しないように配置されている。光源２５を構成する発光ダイオード２５Ｌ１〜２５Ｌ１１（図１参照）のうち所定のダイオードから照明光Ｃ１が照射されると、照明光Ｃ１は、光軸Ｃ１に沿って投光プリズム２６に入射し、正反射面４２の方向へ導かれ、正反射面４２、ダハ反射面４１に反射する。そしてダハ反射面４２に反射された照明光Ｃ２は、スクリーン板３２の所定位置へ入射する。
【００１９】
図４は、被写体像における分割測光エリアと測距点との関係を示した図である。図５は、スクリーン板３２を上方から見た平面図である。図６は、接眼レンズ２３のファインダ枠を通して観察される被写体像を示した図である。
【００２０】
図４に示すように、接眼レンズ２３を介して視認される被写体像、すなわちピント板３１に結像される被写体像には、分割測光のために１５の分割エリアＭ１〜Ｍ１５が設定されており、各エリアに対する輝度が検出される。また、多分割オートフォーカス機能のため１１の測距点Ｆ１〜Ｆ１１が設定されている。ここでは、分割エリアＭ１〜Ｍ１１に合わせて測距点Ｆ１〜Ｆ１１が設定されている。なお、図４に示す各測距点に応じた十字と、各分割エリアの境界線は視認されない。
【００２１】
スクリーン板３２上には、測距点Ｆ１〜Ｆ１１の位置に合わせて１１個のマイクロプリズムＭＰ１〜ＭＰ１１が形成されており、発光ダイオード２５Ｌ１〜２５Ｌ１１は、それぞれマイクロプリズムＭＰ１〜ＭＰ１１へ向けて発光する。各マイクロプリズムは、断面が波形状の微小プリズムによって構成されており、対応する発光ダイオードからの光を反射し、ルーフペンタ２１、接眼レンズ２３の方向へ導く。その結果、合焦している測距点に応じたマイクロプリズムに光が照射されると、対応する測距点の位置に微小矩形状の測距マークが視認される。すなわち、ファインダ光学系２０の接眼レンズ２３を通じて視認される被写体像に対し、測距マークがスーパーインポーズ表示される。図６では、測光エリアＭ２内の測距点Ｆ２が合焦して発光ダイオード２５Ｌ２が点灯したことにより視認される測距マークＡＭが、測距点Ｆ２の位置に合わせて表示されている。
【００２２】
図７は、カメラの全体動作処理を示したフローチャートである。電源ＯＮになると処理が開始される。
【００２３】
ステップＳ１０１では、ＣＰＵなどに対し初期設定処理が行われる。そしてステップＳ１０２では、電源ＯＦＦ操作が行われたか否かが判断される。電源ＯＦＦ操作が行われたと判断されると、ステップＳ１０３へ進み、電源ＯＦＦ処理が実行される。一方、電源ＯＦＦ操作が行われていないと判断された場合、ステップＳ１０４へ進む。
【００２４】
ステップＳ１０４では、モードダイヤルや十字ボタン（図示せず）の操作に対するスイッチ操作処理が実行される。そして、ステップＳ１０５では、外部ＬＣＤ５６などに対する表示処理が実行される。ステップＳ１０６では、レリーズボタンが半押しされて測光スイッチＳ２がＯＮ状態であるか否かが判断される。測光スイッチＳ２がＯＮ状態であると判断された場合、ステップＳ１０７へ進み、撮影動作処理が実行される。
【００２５】
図８は、図７のステップＳ１０７のサブルーチンである撮影動作処理を示したフローチャートである。
【００２６】
ステップＳ２０１では、撮影動作処理の実行開始からの時間を計測するため、カウントが開始される。そして、ステップＳ２０２では、スイッチボタン等の操作に対するスイッチ操作処理が実行される。ステップＳ２０３では、カメラ蓋が開いているなど測光ＯＦＦ条件か否かが判断される。測光ＯＦＦ条件でないと判断されると、ステップＳ２０４へ進む。
【００２７】
ステップＳ２０４では、測光機構２４において検出される輝度データから被写体の明るさが検出され、ステップＳ２０５では、シャッタスピード、絞り値といった露出値が演算される。そして、ステップＳ２０６では、露出値をファインダ内で表示するための表示処理が実行され、ファインダ内照明ＬＥＤ５２、ファインダ内ＬＣＤ５４が動作する。ステップＳ２０６が実行されると、ステップＳ２０７へ進み、ＡＦ処理が実行される。
【００２８】
図９は、図８のステップＳ２０７のサブルーチンであるＡＦ処理を示したフローチャートである。
【００２９】
ステップＳ３０１では、測光スイッチＳ２がＯＮ状態であるか否かが判断される。そしてステップＳ３０２では、測距点自動選択モードに設定されているか否かが判断される。測距点自動選択モードが選択されていると判断された場合、ステップＳ３０５へ移る。一方、測距点マニュアル選択モードが選択されていると判断された場合、ステップＳ３０３へ進み、測距マークの明るさ設定処理が実行される。
【００３０】
図１０は、図９のステップＳ３０３のサブルーチンである測距マークの明るさ設定処理を示した図である。
【００３１】
ステップＳ４０１では、ＡＦ測距点として分割エリアＭ１に対応する測距点Ｆ１がユーザの十字ボタン操作により選択されているか否が判断される。測距点Ｆ１が選択されていると判断されると、ステップＳ４０２へ進み、測光機構２４により検出される分割エリアＭ１の輝度（ここでは平均輝度レベル）が読み出される。すなわち、測距点Ｆ１の輝度として分割エリアＭ１の輝度が検出される。測距点Ｆ１が選択されていないと判断された場合、ステップＳ４０３へ進む。
【００３２】
以下同様に、ステップＳ４０３〜Ｓ４２２では、測距点Ｆ２、Ｆ３、・・・、Ｆ１１がＡＦ測距点として選択されているか否かが判断され、選択されていると判断された場合には対応する分割エリアの輝度が検出される。
【００３３】
ステップＳ４２３では、検出された分割エリアの輝度に従い、対応するダイオードの発光強度、すなわちスーパーインポーズ表示する測距マークの明るさが求められる。ここでは、測距マークの位置に応じた分割エリアの輝度が大きいほどダイオードの発光強度が大きくなるように、ダイオードへの供給電圧が定められる。
【００３４】
本実施形態では、表示する測距マークＡＭの輝度レベルを“ｙ”、表示位置に対応する分割エリアの輝度レベルを“ｘ”と定めた場合、測距マークＡＭの明るさと分割エリアの輝度とが以下の関係式を満たすように、ダイオードの電流値、すなわち発光強度が定められる。ただし、“ｋ”は定数であり、“ｂ”はオフセット量を示す。
ｙ＝ｋｘ＋ｂ                                              ・・・・（１）
【００３５】
ステップＳ４２４では、演算されたダイオードへの電流値が視認可能な最小限度値から最大限度値までの範囲内にあるいか確認される。電流値が最小限度値から最大限度値までの範囲を超えている場合、電流値が最小限度値、最大限度値に修正される。ステップＳ４２４が実行されると、図９のステップＳ３０４へ進む。
【００３６】
図９のステップＳ３０４では、ステップＳ３０３において設定された測距マークの明るさに基づき、選択された測距点に応じたダイオードが発光する。これにより、測距マークＡＭが接眼レンズ２３を通して視認される。ここでは、選択された測距点（測距ポイント）を示すマークとして測距マークＡＭがスーパーインポーズ表示される。
【００３７】
ステップＳ３０５では、ＡＦ演算処理が実行され、デフォーカス量が検出される。ここでは、ＡＦ用ＣＣＤセンサ６１の受光位置に基づいて合焦検出する位相差方式が適用されており、多点測距が実行される。そしてステップＳ３０６では、デフォーカス量が焦点深度の範囲に収まるか、すなわち合焦しているか否かが判断される。
【００３８】
ステップＳ３０６において合焦していないと判断されると、ステップＳ３０７へ進み、レンズをシフトさせる移動量に応じたステッピングモータのパルス数が計算される。そして、ステップＳ３０８ではレンズがパルス数分だけ駆動される。
【００３９】
一方、ステップＳ３０６において合焦していると判断された場合、ステップＳ３０９へ進み、合焦している測距点のうち所定の測距点が設定される。測距点自動選択において、ここでは、被写体像の中心位置付近にある測距点を優先させて１つの測距点が設定される。
【００４０】
ステップＳ３１０では、ステップＳ３０３と同様に、選択されて測距点に表示する測距マークＡＭの明るさが設定される。そして、ステップＳ３１１では、測距マークＡＭが対応する位置へスーパーインポーズ表示される。ここでは、合焦を示すマークとして測距マークＡＭが表示される。ステップＳ３１１が実行されると、図８のステップＳ２０８へ進む。
【００４１】
図８のステップＳ２０８では、レリーズボタンの全押し操作によってレリーズスイッチＳ３がＯＮ状態であるか否かが判断される。レリーズスイッチＳ３がＯＮ状態であると判断されると、ステップＳ２０９へ進み、静止画像がメモリカード６８に記録される。
【００４２】
ステップＳ２１０では、撮影動作処理を開始してからの時間が確認される。そしてステップＳ２１１では、開始から所定時間（例えば１２８ｍｓの倍数）経過しているか否かが判断される。１２８ｍｓ経過し、所定時間経過していないと判断されると、ステップＳ２０２へ戻る。一方、所定時間経過していると判断された場合、撮影動作処理は終了する。電源ＯＦＦ状態になるまで、ステップＳ１０２〜Ｓ１０７が繰り返し実行される。
【００４３】
このように第１の実施形態によれば、多分割オートフォーカス機能によりファインダ光学系２０を通して観察される被写体像に対して測距点Ｆ１〜Ｆ１１が設定されており、ファインダ光学系２０には、発光ダイオード２５Ｌ１〜２５Ｌ１１から構成される光源２５と、マイクロプリズムＭＰ１〜ＭＰ１１が形成されたスクリーン板３２とが設けられている。所定の測距点に対応する発光ダイオードから光が放射し、対応するマイクロプリズムによる反射によって測拒マークＡＭが測距点の位置に表示される(図６参照)。このとき、測距点の輝度が検出され（Ｓ３０３、Ｓ３１０）、測距点の輝度に従い、輝度が大きいほど測距マークＡＭの輝度がおおきくなるように（（１）式参照）、ダイオードの発光強度が設定される（Ｓ４２３）。
【００４４】
次に第２の実施形態であるデジタルカメラについて説明する。第２の実施形態では、第１の実施形態と異なり、ＡＦ処理過程で受光した光に基づいて、測距点の輝度が検出される。それ以外の構成については、第１の実施形態と同じである。
【００４５】
図１１は、第２の実施形態における測距マークの明るさ設定処理を示したフローチャートである。ここでは、図９のステップＳ３１０のサブルーチンとして実行される。図１２は、測距点の輝度とＡＦ用ＣＣＤセンサ６１の積分時間との関係を示した図である。
【００４６】
ステップＳ５０１では、図９のステップＳ３０９で選択された測距点に対応するＡＦ用ＣＣＤセンサの受光積分時間が検出され、測距点の輝度データに変換される。図１２に示すように、輝度レベルが高いほど積分時間が短い。選択された測距点の輝度レベルが検出されるとステップＳ５０２へ進む。
【００４７】
ステップＳ５０２、Ｓ５０３の実行は、図１０のステップＳ４２３、４２４の実行と同じである。すなわち、対応するダイオードの発光強度が定められ、限界レベルが確認される。
【００４８】
測光エリアに合わせて測距点を定めているが、エリアに関係なく測距点における輝度レベルを検出できるように構成してもよい。測距マーク以外の測距に関連するマークを視認できるようにファインダ内においてスーパーインポーズ表示してもよい。
【００４９】
測距マークの明るさ調整としては、電流値を調整する代わりに、点灯時間を制御して視認されるマークの輝度を変化させるように構成してもよい。
【図面の簡単な説明】
【００５０】
【図１】本実施形態であるデジタルカメラのブロック図である。
【図２】カメラのミラーボックスとファインダ光学系の断面図であって、投光プリズムを取り外した状態を示す断面図である。
【図３】カメラのミラーボックスとファインダ光学系の断面図であって、接眼光学系を取り外した状態を示す断面図である。
【図４】被写体像における分割測光エリアと測距点との関係を示した図である。
【図５】スクリーン板を上方から見た平面図である。
【図６】接眼レンズのファインダ枠を通して観察される被写体像を示した図である。
【図７】カメラの全体動作処理を示したフローチャートである。
【図８】図７のステップＳ１０７のサブルーチンである撮影動作処理を示したフローチャートである。
【図９】図８のステップＳ２０７のサブルーチンであるＡＦ処理を示したフローチャートである。
【図１０】図９のステップＳ３０３のサブルーチンである測距マークの明るさ設定処理を示した図である。
【図１１】第２の実施形態における測距マークの明るさ設定処理を示したフローチャートである。
【図１２】測距点の輝度とＡＦ用ＣＣＤセンサの積分時間との関係を示した図である。
【符号の説明】
【００５１】
１０  カメラ
１７  システムコントロール回路
２０  ファインダ光学系
２３  接眼レンズ
２４  測光機構
２５  光源
２５Ｌ１〜２５Ｌ１１  発光ダイオード
３２  スクリーン板
５８  分割測光制御部
６０  ＡＦ制御部
６１  ＡＦ用ＣＣＤセンサ
ＭＰ１〜ＭＰ１１  マイクロプリズム
Ｆ１〜Ｆ１１  測距点
Ｍ１〜Ｍ１５  分割エリア
ＡＭ  測距マーク（測距関連マーク）
【図１】
2006010815.tif 000003
【図２】
2006010815.tif 000004
【図３】
2006010815.tif 000005
【図４】
2006010815.tif 000006
【図５】
2006010815.tif 000007
【図６】
2006010815.tif 000008
【図７】
2006010815.tif 000009
【図８】
2006010815.tif 000010
【図９】
2006010815.tif 000011
【図１０】
2006010815.tif 000012
【図１１】
2006010815.tif 000013
【図１２】
2006010815.tif 000014